(57)【要約】【課題】移動車両の乗客の携帯端末と移動通信網の基地局の同時接続数および通信量を減少させる。【解決手段】コンテンツサーバ１１０の記憶装置は、コンテンツファイルを格納している。未許可の携帯端末３００がアクセスポイント１７０を介してＨＴＴＰによりアクセスすると、コンテンツサーバ１１０は、携帯端末３００のブラウザをエントリページにリダイレクトさせる。そして、携帯端末３００の使用者がエントリページを確認したことを示す応答を携帯端末３００から受信すると、携帯端末３００が３Ｇ／４Ｇルータ１６０を介してネットワーク４００にアクセスすることを許可する。それ以降、コンテンツサーバ１１０は、携帯端末３００からコンテンツに含まれるリンクを受信すると、そのリンクに応じてコンテンツサーバ１１０の記憶装置に格納されているコンテンツファイルまたはネットワーク４００上のコンテンツファイルを取得し、携帯端末３００に送信する。【選択図】図１
2016039585.tif 000002
【特許請求の範囲】
【請求項１】
移動車両に搭載される移動車両用コンテンツ提供システムであって、
移動通信網の基地局と無線でデータ通信する移動通信網接続手段と、
携帯端末と無線でデータ通信するアクセスポイントと、
記憶装置を有するコンテンツサーバと、
を備え、
前記コンテンツサーバが、
ブラウザに利用させるコンテンツを含むコンテンツファイルを前記記憶装置に格納するコンテンツファイル格納手段と、
携帯端末が前記アクセスポイントを介してアクセスするまで前記移動通信網接続手段を介してネットワークにアクセスすることを禁止し、当該携帯端末が前記アクセスポイントを介してアクセスすると、所定のエントリーページを表示するためのファイルを当該携帯端末に送信し、当該携帯端末の使用者が当該所定のエントリーページを確認したことを示す応答を当該携帯端末から受信すると、当該携帯端末が前記移動通信網接続手段を介してネットワークにアクセスすることを許可するネットワークアクセス制御手段と、
前記ネットワークアクセス制御手段によって前記携帯端末によるネットワークへのアクセスが許可されて以降、前記携帯端末がコンテンツに含まれるリンクを送信すると、当該リンクに応じて前記記憶装置に格納されているコンテンツファイルまたはネットワークに接続されたサーバに格納されているコンテンツファイルを取得し、取得した当該コンテンツファイルを前記携帯端末に送信するコンテンツファイル提供手段と、
を有する、
ことを特徴とする移動車両用コンテンツ提供システム。
【請求項２】
請求項１に記載の移動車両用コンテンツ提供システムと、携帯端末とを有する移動車両用コンテンツ利用システムであって、
コンテンツファイル格納手段が、前記コンテンツファイルの一種であってブラウザに所定のトップページを表示させるための情報を含むトップページファイルと、当該トップページファイルおよび前記移動車両の走行経路用のコンテンツを含む複数の前記コンテンツファイルを指定するコンテンツファイル指定情報が格納されたコンテンツファイル指定ファイルとを前記記憶装置に格納し、
前記コンテンツサーバのコンテンツファイル提供手段が、前記ネットワークアクセス制御手段によって応答が受信されると、前記コンテンツファイル指定ファイルに格納されているコンテンツファイル指定情報で指定されるトップページファイルおよび複数のコンテンツファイルを送信し、
前記携帯端末が、受信した前記トップページファイルと複数のコンテンツファイルとをキャッシュし、前記移動車両の外にあって前記移動車両用コンテンツ提供システムと通信できないとき、キャッシュされている当該トップページファイルと各コンテンツファイルとを利用することができるブラウザを有する、
ことを特徴とする移動車両用コンテンツ利用システム。
【請求項３】
前記携帯端末によってキャッシュされる各コンテンツファイルに、前記移動車両の走行経路に含まれる各地点において所定の時間帯に利用される各地点用のコンテンツを含むコンテンツファイルが含まれており、
前記携帯端末が、現在の位置と時刻を取得する位置時刻取得手段を有し、
前記携帯端末のブラウザが、前記位置時刻取得手段によって取得された現在の位置と時刻に利用できるトップページおよび／または当該トップページからたどれる所定のコンテンツを、当該現在の位置において当該現在の時刻を含む時間帯に利用される所定の地点用のトップページおよび／またはコンテンツに変更する変更手段を有する、
ことを特徴とする請求項２に記載の移動車両用コンテンツ利用システム。
【請求項４】
請求項１に記載の移動車両用コンテンツ提供システムと、前記ネットワークに接続されたコンテンツ配信サーバとを有する移動車両用コンテンツ配信システムであって、
複数の前記移動車両が、それぞれ所定の経路を走行し、
前記各移動車両に搭載されたコンテンツサーバの記憶装置に格納されているコンテンツファイルが、経路を問わず前記各移動車両の乗客によって共通に利用される共通コンテンツを含む共通コンテンツファイルと、前記各経路を走行する移動車両の乗客のみに利用される前記各経路用のローカルコンテンツを含むローカルコンテンツファイルとで構成されており、
前記コンテンツ配信サーバが、
前記共通コンテンツファイルと全ての経路用の前記ローカルコンテンツファイルとを保持するコンテンツ保持手段と、
前記コンテンツ保持手段によって保持されている前記共通コンテンツファイルが更新されると、全ての前記移動車両用コンテンツ提供システムに更新された当該共通コンテンツファイルを送信し、前記コンテンツ保持手段によって保持されている前記ローカルコンテンツファイルが更新されると、更新された当該ローカルコンテンツファイルが乗客によって利用される経路を走行している前記移動車両に搭載されている移動車両用コンテンツ提供システムに、更新された当該ローカルコンテンツファイルを送信する更新時送信手段と、
を備え、
前記各移動車両用コンテンツ提供システムにおいて、前記更新時送信手段によって送信された共通コンテンツファイルおよび／またはローカルコンテンツファイルを前記移動通信網接続手段が受信すると、前記コンテンツファイル格納手段が、前記記憶装置に格納されている共通コンテンツファイルおよび／またはローカルコンテンツファイルを、受信した前記共通コンテンツファイルおよび／またはローカルコンテンツファイルで更新する、
ことを特徴とする移動車両用コンテンツ配信システム。
【請求項５】
前記移動通信網接続手段が、複数の移動通信網用ルータと移動通信網用モデムとを有することを特徴とする請求項１に記載の移動車両用コンテンツ提供システム。
【発明の詳細な説明】
【技術分野】
【０００１】
本発明は、バス等の移動車両の乗客が保持している携帯端末にコンテンツを提供する移動車両用コンテンツ提供システム、移動車両用コンテンツ利用システムおよび移動車両用コンテンツ配信システムに関する。
【背景技術】
【０００２】
電車やバス内で過ごす時間を有効で快適なものとするために、鉄道利用者やバスの乗客に各種の情報を提供するシステムが知られている。
例えば、特許文献１は、鉄道会社等の交通機関の集中管理センターや主要駅などの施設に配置され、各種運行情報をやりとりしたり、コンテンツを配信したりするコンテンツ配信サーバ、および車両内に設置され、車両位置、乗客位置、車内環境等を管理し、コンテンツ配信サーバと交信する車両サーバを備える対話型車内コンテンツ提供システムを開示する。このシステムは、運転開始前に運行車両の車両サーバにコンテンツを配信し、車両の運行状況と車内状況に応じて、車内ならではの対話型コンテンツを乗客に提供する。
【０００３】
また、電車やバスの乗客は、スマートフォンやタブレットＰＣのような携帯端末を用いて３Ｇ／４Ｇ（ＬＴＥを含む）移動通信網に接続し、様々なコンテンツを利用することができる。
【先行技術文献】
【特許文献】
【０００４】
【特許文献１】特開２０１３−２１０７１３号公報
【発明の概要】
【発明が解決しようとする課題】
【０００５】
しかし、電車やバスのような移動車両では狭い車内に多数の乗客がいる。移動車両の多数の乗客の携帯端末が移動通信網の基地局に同時に接続すると、個々の携帯端末の通信速度が低下する。このため、乗客はネットワーク上のコンテンツを快適に楽しみことができない場合がある。
【０００６】
特許文献１に記載の対話型車内コンテンツ提供システムは、車両の運行状況と車内状況に応じて対話型コンテンツをタイムリーに提供するが、携帯端末と移動通信網との接続は考慮されていない。
【０００７】
本発明の目的は、電車やバス等の移動車両の多数の乗客が携帯端末を用いてネットワーク上のコンテンツを取得する場合に移動通信網の基地局への同時接続数と通信量を減少させることができる移動車両用コンテンツ提供システム、移動車両用コンテンツ利用システムおよび移動車両用コンテンツ配信システムを提供することである。
【課題を解決するための手段】
【０００８】
上記目的を達成するために、本発明の移動車両用コンテンツ提供システムは、
移動車両に搭載される移動車両用コンテンツ提供システムであって、
移動通信網の基地局と無線でデータ通信する移動通信網接続手段と、
携帯端末と無線でデータ通信するアクセスポイントと、
記憶装置を有するコンテンツサーバと、
を備え、
前記コンテンツサーバが、
ブラウザに利用させるコンテンツを含むコンテンツファイルを前記記憶装置に格納するコンテンツファイル格納手段と、
携帯端末が前記アクセスポイントを介してアクセスするまで前記移動通信網接続手段を介してネットワークにアクセスすることを禁止し、当該携帯端末が前記アクセスポイントを介してアクセスすると、所定のエントリーページを表示するためのファイルを当該携帯端末に送信し、当該携帯端末の使用者が当該所定のエントリーページを確認したことを示す応答を当該携帯端末から受信すると、当該携帯端末が前記移動通信網接続手段を介してネットワークにアクセスすることを許可するネットワークアクセス制御手段と、
前記ネットワークアクセス制御手段によって前記携帯端末によるネットワークへのアクセスが許可されて以降、前記携帯端末がコンテンツに含まれるリンクを送信すると、当該リンクに応じて前記記憶装置に格納されているコンテンツファイルまたはネットワークに接続されたサーバに格納されているコンテンツファイルを取得し、取得した当該コンテンツファイルを前記携帯端末に送信するコンテンツファイル提供手段と、
を有する、
ことを特徴とする。
【０００９】
また、本発明の移動車両用コンテンツ利用システムは、
上述した移動車両用コンテンツ提供システムと、携帯端末とを有する移動車両用コンテンツ利用システムであって、
コンテンツファイル格納手段が、前記コンテンツファイルの一種であってブラウザに所定のトップページを表示させるための情報を含むトップページファイルと、当該トップページファイルおよび前記移動車両の走行経路用のコンテンツを含む複数の前記コンテンツファイルを指定するコンテンツファイル指定情報が格納されたコンテンツファイル指定ファイルとを前記記憶装置に格納し、
前記コンテンツサーバのコンテンツファイル提供手段が、前記ネットワークアクセス制御手段によって応答が受信されると、前記コンテンツファイル指定ファイルに格納されているコンテンツファイル指定情報で指定されるトップページファイルおよび複数のコンテンツファイルを送信し、
前記携帯端末が、受信した前記トップページファイルと複数のコンテンツファイルとをキャッシュし、前記移動車両の外にあって前記移動車両用コンテンツ提供システムと通信できないとき、キャッシュされている当該トップページファイルと各コンテンツファイルとを利用することができるブラウザを有する、
ことを特徴とする。
【００１０】
また、本発明の移動車両用コンテンツ利用システムは、
前記携帯端末によってキャッシュされる各コンテンツファイルに、前記移動車両の走行経路に含まれる各地点において所定の時間帯に利用される各地点用のコンテンツを含むコンテンツファイルが含まれており、
前記携帯端末が、現在の位置と時刻を取得する位置時刻取得手段を有し、
前記携帯端末のブラウザが、前記位置時刻取得手段によって取得された現在の位置と時刻に利用できるトップページおよび／または当該トップページからたどれる所定のコンテンツを、当該現在の位置において当該現在の時刻を含む時間帯に利用される所定の地点用のトップページおよび／またはコンテンツに変更する変更手段を有する、
ことを特徴とする１。
【００１１】
また、本発明の移動車両用コンテンツ配信システムは、
上述した移動車両用コンテンツ提供システムと、前記ネットワークに接続されたコンテンツ配信サーバとを有する移動車両用コンテンツ配信システムであって、
複数の前記移動車両が、それぞれ所定の経路を走行し、
前記各移動車両に搭載されたコンテンツサーバの記憶装置に格納されているコンテンツファイルが、経路を問わず前記各移動車両の乗客によって共通に利用される共通コンテンツを含む共通コンテンツファイルと、前記各経路を走行する移動車両の乗客のみに利用される前記各経路用のローカルコンテンツを含むローカルコンテンツファイルとで構成されており、
前記コンテンツ配信サーバが、
前記共通コンテンツファイルと全ての経路用の前記ローカルコンテンツファイルとを保持するコンテンツ保持手段と、
前記コンテンツ保持手段によって保持されている前記共通コンテンツファイルが更新されると、全ての前記移動車両用コンテンツ提供システムに更新された当該共通コンテンツファイルを送信し、前記コンテンツ保持手段によって保持されている前記ローカルコンテンツファイルが更新されると、更新された当該ローカルコンテンツファイルが乗客によって利用される経路を走行している前記移動車両に搭載されている移動車両用コンテンツ提供システムに、更新された当該ローカルコンテンツファイルを送信する更新時送信手段と、
を備え、
前記各移動車両用コンテンツ提供システムにおいて、前記更新時送信手段によって送信された共通コンテンツファイルおよび／またはローカルコンテンツファイルを前記移動通信網接続手段が受信すると、前記コンテンツファイル格納手段が、前記記憶装置に格納されている共通コンテンツファイルおよび／またはローカルコンテンツファイルを、受信した前記共通コンテンツファイルおよび／またはローカルコンテンツファイルで更新する、
ことを特徴とする。
【００１２】
また、好ましくは、本発明の移動車両用コンテンツ提供システムは、
前記移動通信網接続手段が、複数の移動通信網用ルータと移動通信網用モデムとを有することを特徴とする。
【発明の効果】
【００１３】
本発明によれば、電車やバス等の移動車両の多数の乗客が携帯端末を用いてネットワーク上のコンテンツを取得する場合に移動通信網の基地局への同時接続数と通信量を減少させることができる。
【図面の簡単な説明】
【００１４】
【図１】本発明の実施形態に係るコンテンツ配信システムの構成の一例を示す図である。
【図２】コンテンツサーバの構成の一例を示す図である。
【図３】コンテンツ配信サーバの構成の一例を示す図である。
【図４】配信テーブルの構成の一例を示す図である。
【図５】コンテンツファイルを格納するコンテンツフォルダの構成の一例を示す図である。
【図６】バスツアーにおける走行予定テーブルの構成の一例を示す図である。
【図７】携帯端末の構成の一例を示す図である。
【図８】トップページにリンクが含まれるコンテンツファイルの一例を示す図である。図８（Ａ）は往路における横浜港と鎌倉の間でトップページにリンクが含まれるコンテンツファイルの一例を示す。図８（Ｂ）は復路における茅ヶ崎港と東京駅の間でトップページにリンクが含まれるコンテンツファイルの一例を示す。
【図９】移動車両用コンテンツ提供システムが起動された時のコンテンツファイルダウンロード処理の流れの一例を示す図である。
【図１０】コンテンツ配信サーバの記憶装置に格納されているコンテンツファイルが更新された時の更新処理の流れの一例を示す図である。図１０（Ａ）は、コンテンツ配信サーバの更新処理の流れの一例を示す図である。図１０（Ｂ）は、コンテンツサーバの更新処理の流れの一例を示す図である。
【図１１】携帯端末によるネットワークへのアクセスを制御する処理の一例を示す図である。
【図１２】携帯端末によるコンテンツ利用処理の流れの一例を示す図である。
【図１３】移動車両用コンテンツ提供システムの変形例の構成を示す。
【発明を実施するための形態】
【００１５】
以下、本発明の実施形態に係る移動車両用コンテンツ提供システム、移動車両用コンテンツ利用システムおよび移動車両用コンテンツ配信システムについて図面を参照しながら説明する。
なお、実施形態を説明する全図において、共通の構成要素には同一の符号を付し、繰り返しの説明を省略する。また、以下では、ブラウザがコンテンツファイルを読み込んでディスプレイ等に表示するページと動画と静止画、およびスピーカやヘッドホン等から出力される音声等
をコンテンツという。すなわち、コンテンツという用語は、ブラウザに表示されるページ、動画、静止画、および音声等を意味する。
【００１６】
図１は、本発明の実施形態に係るコンテンツ配信システム１の構成の一例を示す。
コンテンツ配信システム１は、移動車両用コンテンツ提供システム１００Ａと、コンテンツ配信サーバ２１０と、管理サーバ２２０と、携帯端末３００とを有する。
ネットワーク４００は、移動通信網とインターネット等を含むネットワーク全体を示す。
コンテンツ配信サーバ２１０と管理サーバ２２０は、センター２００に配置されている。コンテンツ配信サーバ２１０と管理サーバ２２０は、無線または有線によりネットワーク４００に接続されている。
【００１７】
移動車両用コンテンツ提供システム１００Ａは、コンテンツサーバ１１０と、３Ｇ／４Ｇルータ１６０と、３Ｇ／４Ｇモデム（図示なし）と、アクセスポイント１７０とを有する。
移動車両用コンテンツ提供システム１００Ａは、可搬型であり、例えば、キャリーケースに収納される。図１の例では、移動車両はバス５００であり、移動車両用コンテンツ提供システム１００はバス５００に搭載されている。この場合、移動車両用コンテンツ提供システム１００の各機器の電源はバス５００のシガーソケットからとることができる。
【００１８】
３Ｇ／４Ｇルータ１６０には図示しない３Ｇ／４Ｇモデムが接続されている。コンテンツサーバ１１０は、３Ｇ／４Ｇルータ１６０と３Ｇ／４Ｇモデムを介して無線で移動通信網の基地局４１０に接続される。なお、４ＧはＬＴＥ（Ｌｏｎｇ  Ｔｅｒｍ  Ｅｖｏｌｕｔｉｏｎ）を含むものとする。
コンテンツサーバ１１０とコンテンツ配信サーバ２１０と管理サーバ２２０とはネットワーク４００を介して相互に通信することができる。
管理サーバ２２０は、コンテンツ配信サーバ２１０とコンテンツサーバ１１０とを管理する。
コンテンツ配信サーバ２１０は、コンテンツファイル等を保持し、それらをコンテンツサーバ１１０に提供する。
【００１９】
アクセスポイント１７０は、無線により携帯端末３００をコンテンツサーバ１１０に接続する。アクセスポイント１７０は、マルチＳＳＩＤ（Ｓｅｒｖｉｃｅ  Ｓｅｔ  Ｉｄｅｎｔｉｆｉｅｒ）の機能を有しており、複数の識別名を持つことができる。
携帯端末３００は、携帯電話、スマートフォンやタブレットＰＣ等である。また、携帯端末３００は、移動車両用コンテンツ提供システム１００Ａ用の専用端末であってもよい。携帯端末３００は、無線によりアクセスポイント１７０を介してコンテンツサーバ１１０に接続され、コンテンツサーバ１１０と通信することができる。また、携帯端末３００は、コンテンツサーバ１１０を介してコンテンツ配信サーバ２１０やネットワーク４００に接続された各種装置と通信することができる。
なお、本発明のコンテンツ利用システムの一例は移動車両用コンテンツ提供システム１００Ａと携帯端末３００とで構成され、本発明の移動車両用コンテンツ配信システムの一例はコンテンツ配信サーバ２１０と移動車両用コンテンツ提供システム１００Ａとで構成される。また、３Ｇ／４Ｇルータ１６０と３Ｇ／４Ｇモデムは本発明の移動通信網接続手段の一例である。
【００２０】
図２は、コンテンツサーバ１１０の構成の一例を示す。
コンテンツサーバ１１０は、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成される主メモリと、ハードディスク等で構成される記憶装置と、ＵＳＢ（Ｕｎｉｖｅｒｓａｌ  Ｓｅｒｉａｌ  Ｂｕｓ）メモリインタフェースとを有する。
コンテンツサーバ１１０の記憶装置には、コンテンツサーバ制御プログラムが格納されている。コンテンツサーバ１１０のＣＰＵが記憶装置からコンテンツサーバ制御プログラムを主メモリに読み出して実行することで、コンテンツファイル格納部１１１とネットワークアクセス制御部１１２とコンテンツファイル提供部１１３との各部の機能が実現される。
【００２１】
図３は、コンテンツ配信サーバ２１０の構成の一例を示す。
コンテンツ配信サーバ２１０は、ＣＰＵと、ＲＡＭ等で構成される主メモリと、ハードディスク等で構成される記憶装置と、ＵＳＢメモリインタフェースとを有する。
コンテンツ配信サーバ２１０の記憶装置には、コンテンツ配信サーバ制御プログラムと、図４に示す配信テーブル２１５と、図６に示す各路線用の走行予定テーブル３０１とが格納されている。コンテンツ配信サーバ２１０のＣＰＵが記憶装置からコンテンツ配信サーバ制御プログラムを主メモリに読み出して実行することで、起動時送信部２１１と更新時送信部２１２との各部の機能が実現される。
【００２２】
図４の配信テーブル２１５は、コンテンツサーバ識別番号２１６と、路線番号２１７と、ＩＰアドレス２１８とを含む配信情報を格納する。
コンテンツサーバ識別番号２１６は、移動車両用コンテンツ提供システム１００Ａに含まれるコンテンツサーバ１１０を一意に識別する識別情報である。コンテンツサーバ識別番号２１６は、コンテンツサーバ１１０毎に予め設定されている。
路線番号２１７は、バス５００が走行する経路である路線を一意に識別する識別情報である。路線番号２１７は、移動車両用コンテンツ提供システム１００Ａが搭載されるバス５００が決まると、管理者によって設定される。
ＩＰアドレス２１８は、移動車両用コンテンツ提供システム１００Ａの起動時に移動通信網の基地局４１０から３Ｇ／４Ｇルータ１６０に付与されるＩＰアドレスである。
【００２３】
コンテンツサーバ１１０は、ＨＴＴＰ（Ｈｙｐｅｒｔｅｘｔ  Ｔｒａｎｓｆｅｒ  Ｐｒｏｔｏｃｏｌ）サーバの機能を持つ。
コンテンツファイルは、例えばＨＴＭＬ（ＨｙｐｅｒＴｅｘｔ  Ｍａｒｋｕｐ  Ｌａｎｇｕａｇｅ）等で記述された、ＨＴＴＰサーバが取り扱うことが可能なファイルである。コンテンツファイルは、動画、静止画、または音声のファイルであってもよい。コンテンツサーバ１１０の記憶装置に格納されるコンテンツファイルにおいてＨＴＭＬの参照先（リンク）を相対パスで記述することにより、コンテンツサーバ１１０内の別のコンテンツファイルにジャンプさせることができる。
【００２４】
図５は、コンテンツファイルを格納するコンテンツフォルダの構成の一例を示す。
コンテンツ配信サーバ２１０の記憶装置には、全ての路線（走行経路）についてのコンテンツファイルが格納される。各路線を走るバスに搭載されたコンテンツサーバ１１０の記憶装置には、コンテンツ配信サーバ２１０の記憶装置から各路線についてのコンテンツファイルがフォルダ構造も含めてコピーされて格納される。
コンテンツ配信サーバ２１０の記憶装置とコンテンツサーバ１１０の記憶装置とに格納されるコンテンツファイルは、ＳＳＩＤ毎にフォルダに分かれて格納される。さらに、各ＳＳＩＤ用フォルダの下に共通コンテンツ用フォルダと路線用フォルダがある。共通コンテンツ用フォルダには、全路線に共通の共通コンテンツファイルが格納され、路線用フォルダには路線毎のローカルコンテンツファイルが格納される。
共通コンテンツファイルおよびローカルコンテンツファイルにおいて、それらのコンテンツファイルから、コンテンツサーバ１１０内の別のコンテンツファイルにジャンプさせる場合、ＨＴＭＬの参照先（リンク）は相対パスで記述される。そして、ネットワーク４００上のコンテンツファイルにジャンプさせる場合、リンクは絶対パスで記述される。
【００２５】
このようなフォルダ構造とすることにより、例えば、ＳＳＩＤ１、ＳＳＩＤ２、ＳＳＩＤ３をそれぞれＡ旅行会社、Ｂ旅行会社、Ｃ旅行会社で使用することとし、ＳＳＩＤ１用フォルダ、ＳＳＩＤ２用フォルダ、ＳＳＩＤ３用フォルダにそれぞれＡ旅行会社、Ｂ旅行会社、Ｃ旅行会社の提供するコンテンツファイルを格納することができる。
なお、コンテンツ配信サーバ２１０の記憶装置は、本発明のコンテンツ保持手段の一例である。
【００２６】
図６は、バスツアーにおける走行予定テーブル３０１の構成の一例を示す図である。
走行予定テーブル３０１は、走行経路に含まれる各地点毎に、地点名３０２と、到着時刻３０３と、発車時刻３０４と、位置３０５との各項目を有する。到着時刻３０３と発車時刻３０４が同一である地点は、バス５００が停車せず、通過する地点である。
図６の例の往路では、バス５００は朝８時に東京駅を出発する。そして、横浜港に９時に到着し、横浜港周辺を２時間観光した後、横浜港を１１時に出発する。その後、鎌倉に正午に到着し、鎌倉を４時間観光し、１６時に鎌倉を出発する。そして、江の島を１６時半に通過して、箱根に夕方１８時に到着する。
図６の例の復路では、バス５００は、朝９時に箱根を出発する。そして、１０時に小田原城に到着し、小田原城を１時間見学した後、小田原城を１１時に出発する。茅ヶ崎海岸に正午に到着し、昼食を取り、地曳網を楽しんだ後、茅ヶ崎海岸を１５時に出発する。東京駅に１７時に戻る。
走行予定テーブル３０１は、コンテンツ配信サーバ２１０の記憶装置に格納されている。そして、走行予定テーブル３０１は、例えば、コンテンツファイルがコンテンツサーバ１１０にダウンロードされるとき、同時にコンテンツサーバ１１０にダウンロードされる。ここで、ダウンロードされるコンテンツファイルには、走行予定テーブル３０１に含まれる各地点において所定の時間帯に利用される各地点用のコンテンツを含むコンテンツファイルが含まれている。
【００２７】
図７は、携帯端末３００の構成の一例を示す。
携帯端末３００は、ＣＰＵと、ＲＡＭ等で構成される主メモリと、ハードディスクやフラッシュメモリ等で構成される記憶装置と、ディスプレイやヘッドホンインタフェース等で構成される出力部と、キーボードやタッチパネル等で構成される入力部と、ＧＰＳ（Ｇｌｏｂａｌ  Ｐｏｓｉｔｉｏｎｉｎｇ  Ｓｙｓｔｅｍ）等で構成される位置取得部３２０と、タイマー等で構成される時刻取得部３３０とを有する。
携帯端末３００の記憶装置には、ブラウザのプログラムが格納されており、ブラウザのプログラムにはＰＭＰまたはＦｌａｓｈで書かれたブラウザ制御プログラムが含まれている。携帯端末３００のＣＰＵが、記憶装置から主メモリにブラウザのプログラムを読み出して実行することにより、ブラウザ３１０の機能が実現される。携帯端末３００のＣＰＵは、ブラウザのプログラムを実行するとき、同時にブラウザ制御プログラムを実行する。ブラウザ制御プログラムの実行により利用制限部３１１と変更部３１２の機能がブラウザ３１０に付加される。利用制限部３１１と変更部３１２は、ブラウザ３１０の一部であり、ブラウザ３１０を制御する。
【００２８】
ブラウザ３１０は、トップページを表示するための情報を含むトップページファイルをコンテンツサーバ１１０からダウンロードするとき、同時に複数のコンテンツファイルと走行予定テーブル３０１を含むファイルとをダウンロードし、トップページファイルと各コンテンツファイルと走行予定テーブル３０１を含むファイルとを記憶装置にキャッシュする。なお、トップページファイルもコンテンツファイルの一種である。
そして、携帯端末３００の使用者がブラウザ３１０に表示されているページ（トップページとそれ以外のページの両方を含む）のリンクを選択すると、ブラウザ３１０は、そのリンクに応じて、携帯端末３００にキャッシュされているコンテンツファイルを記憶装置から読み出して、若しくはコンテンツサーバ１１０またはネットワーク４００に接続されたサーバからコンテンツファイルをダウンロードして、そのコンテンツファイルを利用する。
バスツアーのように観光スポット等の所定の場所を訪れ、乗客がバス５００から離れてしばらくの間その場所を見学等する場合、移動車両用コンテンツ提供システム１００Ａとの接続がオフラインであっても、すなわち携帯端末３００がバス５００の外にあってコンテンツサーバ１１０と通信できなくても、コンテンツファイルを携帯端末３００単体で利用（テキストや画像の表示、音声の出力等）することができれば、乗客にとって利便性が向上する。
【００２９】
ブラウザ３１０によるコンテンツファイルと走行予定テーブル３０１のキャッシングは、例えば、ＨＴＭＬ５のアプリケーションキャッシュを利用することにより実現することができる。
具体的には、キャシュされる各コンテンツファイルと走行予定テーブル３０１を含むファイルとのリストをマニフェストファイルに記述し、ＨＴＭＬ５で記述されたトップページファイルでそのマニフェストファイルを指定する。そして、コンテンツサーバ１１０は、所定のタイミングで、トップページファイル、マニフェストファイル、およびマニフェストファイルにキャシュすると記述された各コンテンツファイルと走行予定テーブル３０１を含むファイルとを、コンテンツ配信サーバ２１０からダウンロードし、コンテンツサーバ１１０の記憶装置に格納する。携帯端末３００でＨＴＭＬ５対応のブラウザを用いてトップページにアクセスすると、マニフェストファイルにキャシュすると記述された各コンテンツファイルと走行予定テーブル３０１を含むファイルとは、トップページファイルとともにコンテンツサーバ１１０から携帯端末３００にダンロードされて記憶装置にキャッシュされる。携帯端末３００は、バス５００の外にあってコンテンツサーバ１１０と通信できないときでも、携帯端末３００単体でキャッシュされたトップページファイルと各コンテンツファイルと走行予定テーブル３０１とを利用することができる。
なお、マニフェストファイルは本発明のコンテンツファイル指定ファイルの一例であり、マニフェストファイルに記述されるファイルのリストは本発明のコンテンツファイル指定情報の一例である。
【００３０】
利用制限部３１１は、コンテンツファイル（トップページファイルを含む）と走行予定テーブル３０１がキャッシュされてから所定の制限時間が経過すると、それらを利用できなくする。
キャッシュされたコンテンツファイルと走行予定テーブル３０１がバスツアー等の終了後いつまでも利用できるのは望ましくない。そこで、利用制限部３１１は、制限時間経過後にブラウザ３１０がコンテンツファイルと走行予定テーブル３０１を開くことを禁止する。
例えば、ユーザがブラウザ３１０のアドレスバーに制限時間が経過したコンテンツファイルへのパスを入力してそのコンテンツファイルを開こうとすると、ブラウザ３１０は所定のメッセージを表示する。そのメッセージの内容は「ダウンロードされてから所定の時間が経過しました。このため、このコンテンツを表示することはできません。」等である。
【００３１】
変更部３１２は、位置取得部３２０と時刻取得部３３０によってそれぞれ取得された現在の位置と時刻に利用できるトップページおよび／またはそのトップページからたどれる所定のコンテンツを、現在の位置において現在の時刻を含む時間帯に利用される所定の地点用のトップページおよび／またはコンテンツに変更する。
トップページおよび／またはコンテンツの変更は、具体的には、例えば、走行予定テーブル３０１に含まれる各地点用のトップページファイルとそのトップページからたどれるコンテンツ用のコンテンツファイルとを予め作成して携帯端末３００の記憶装置にキャッシュしておく。そして、ブラウザ３１０が表示しているトップページファイルを現在の地点および時間帯用のトップページファイルに置き換えることにより、トップページとそのトップページからたどれる全てのコンテンツとを一度に変更することができる。
また、例えば、トップページまたは所定のコンテンツのリンクが示すパスのコンテンツファイルを現在の地点および時間帯用のコンテンツファイルで上書きすることにより、トップページまたは所定のコンテンツにリンクされるコンテンツを置き換えることができる。
また、例えば、トップページまたは所定のコンテンツのリンクを現在の地点および時間帯用のコンテンツファイルのパスに書き換えることにより、リンクされるコンテンツを変更することができる。
バスツアーに関連する多数のコンテンツの中から次の目的地についての情報を含むコンテンツを探すのには手間がかかる。携帯端末３００の現在の位置および時間帯に応じて、トップページおよび／またはトップページからたどれる所定のコンテンツを切り換えれば、乗客にとって利便性が向上すると考えられる。
なお、位置取得部３２０と時刻取得部３３０は本発明の位置時刻取得手段の一例であり、変更部３１２は本発明の変換手段の一例である。
【００３２】
位置取得部３２０は、ＧＰＳ等を有する場合、ＧＰＳ等によって現在の位置を取得する。一方、位置取得部３２０は、ＧＰＳ等を持たない場合でも、時刻取得部３３０によって取得された現在の時刻と走行予定テーブル３０１の到達時刻３０３および発車時刻３０４とを比較して現在のおおまかな位置を求めることができる。
また、時刻取得部３３０は、タイマー等によって現在の位置を取得する。ただし、時刻取得部３３０は、タイマー等を用いなくても、バスツアー等の経路が片道の場合、および往路と復路で経路が異なる場合には、位置取得部３２０によって取得された現在の位置と走行予定テーブル３０１の位置３０５とを比較して現在のおおまかな時刻を求めることができる。
【００３３】
図６の走行予定テーブル３０１に従うバスツアーでは、バス５００が東京駅を出発した直後に乗客がブラウザ３１０を用いてコンテンツサーバ１１０にアクセスすると、ブラウザ３１０は図６に示す往路と復路の各地点についてのコンテンツをそれぞれ含む各コンテンツファイルをまとめてダウンロードしてキャッシュする。そのとき、走行予定テーブル３０１も同時にダウンロードして記憶装置に保存する。
例えば、往路では、バス５００は１１時から正午の時間帯に横浜港と鎌倉の間を走行しており、乗客は鎌倉に正午から１６時まで滞在する。このため、１１時から１６時までの時間帯にブラウザ３１０の表示するトップページは、図８（Ａ）に示すコンテンツファイルへのリンクを有する。ここで、鎌倉の地図、各お寺のガイダンス、鎌倉の現地情報、および鎌倉のレストラン一覧はローカルコンテンツファイルであり、ツアーディスク情報とプライバシーポリシーは共通コンテンツファイルである。
また、復路では、１５時から１７時の間はバス５００が東京駅へ戻る途中である。バス５００は往路と復路の両方で鎌倉と横浜港の間を走行するが、復路ではこの時間帯は東京駅へ戻る途中である。このため、往路と異なり、ブラウザ３１０の表示するトップページは、図８（Ｂ）に示すコンテンツファイルへのリンクを有する。ここで、東京駅周辺の地図、各ツアーの案内、東京駅周辺のレストラン一覧、アンケート、および特典コンテンツページはローカルコンテンツファイルであり、ツアーディスク情報とプライバシーポリシーは共通コンテンツファイルである。
【００３４】
図９は、移動車両用コンテンツ提供システム１００Ａが起動された時のコンテンツファイルダウンロード処理の流れの一例を示す。
コンテンツサーバ１１０のコンテンツファイル格納部１１１は、起動されると、移動通信網の基地局４１０から３Ｇ／４Ｇルータ１６０のＩＰアドレスを取得する（Ｓ１１）。そして、コンテンツファイル格納部１１１は、３Ｇ／４Ｇルータ１６０を用いて、コンテンツサーバ識別番号とＩＰアドレスとを含むダウンロード要求をコンテンツ配信サーバ２１０に送信する（Ｓ１２）。
コンテンツ配信サーバ２１０の起動時送信部２１１は、ダウンロード要求を受信すると（Ｓ２１）、配信テーブル２１５のＩＰアドレス２１８にダウンロード要求に含まれるＩＰアドレスを設定する（Ｓ２２）。そして、起動時送信部２１１は、配信テーブル２１５から路線番号２１７を取得し（２３）、路線番号２１７用のフォルダに格納されているローカルコンテンツファイルと、共通コンテンツ用フォルダに格納されている共通コンテンツファイルをフォルダ構造も含めて送信する。このとき、同時に走行予定テーブル３０１とマニフェストファイルも送信する（Ｓ２４）。
３Ｇ／４Ｇルータ１６０がローカルコンテンツファイルと共通コンテンツファイルと走行予定テーブル３０１とマニフェストファイルとを受信する（Ｓ１３）と、コンテンツサーバ１１０のコンテンツファイル格納部１１１は、ローカルコンテンツファイルと共通コンテンツファイルとをフォルダ構造も含めて記憶装置に格納する。このとき、同時に走行予定テーブル３０１とマニフェストファイルも記憶装置に格納する（Ｓ１４）。
【００３５】
なお、コンテンツ配信サーバ２１０の記憶装置からＵＳＢメモリにローカルコンテンツファイルと共通コンテンツファイルをフォルダ構造も含めてコピーし、走行予定テーブル３０１とマニフェストファイルもコピーする。そして、移動車両用コンテンツ提供システム１００Ａの起動時に、コンテンツファイル格納部１１１がＵＳＢメモリからコンテンツサーバ１１０の記憶装置にローカルコンテンツファイルと共通コンテンツファイルと走行予定テーブル３０１とマニフェストファイルとをコピーすることもできる。
【００３６】
図１０は、コンテンツ配信サーバ２１０の記憶装置に格納されているコンテンツファイルが更新された時の更新処理の流れの一例を示す。図１０（Ａ）は、コンテンツ配信サーバ２１０の更新処理の流れの一例を示す。図１０（Ｂ）は、コンテンツサーバ１１０の更新処理の流れの一例を示す。
コンテンツ配信サーバ２１０において共通コンテンツファイルまたはローカルコンテンツファイルが更新されると、更新時送信部２１２は図１０（Ａ）に示すコンテンツファイル更新処理を行う。
更新時送信部２１２は、共通コンテンツ用フォルダに格納されている共通コンテンツファイルが更新される（Ｓ３１：Ｙｅｓ）と、配信テーブル２１５から全てのＩＰアドレス２１８を取得する（Ｓ３２）。そして、更新時送信部２１２は、全てのＩＰアドレス２１８を宛先アドレスとして、更新された共通コンテンツファイルを送信する（Ｓ３３）。すなわち、更新時送信部２１２は、全ての路線のバスに搭載されている移動車両用コンテンツ提供システム１００Ａに更新された共通コンテンツファイルを送信する。
また、コンテンツ配信サーバ２１０は、共通コンテンツファイルの更新ではない場合（Ｓ３１：Ｎｏ）、すなわち各路線用フォルダに格納されているローカルコンテンツファイルが更新された場合、配信テーブル２１５から更新された路線の路線番号２１７に対応するＩＰアドレス２１８を取得する（Ｓ３４）。そして、更新時送信部２１２は、更新された路線のＩＰアドレス２１８を宛先アドレスとして、更新されたローカルコンテンツファイルを送信する（Ｓ３５）。すなわち、更新時送信部２１２は、更新されたローカルコンテンツファイルが乗客によって利用される経路を走行しているバス５００に搭載されている移動車両用コンテンツ提供システム１００Ａに、更新されたローカルコンテンツファイルを送信する。
図１０（Ｂ）に示すように、移動車両用コンテンツ提供システム１００Ａが更新された共通コンテンツファイルおよび／またはローカルコンテンツファイルを受信する（Ｓ４１）と、コンテンツファイル格納部１１１は、記憶装置に格納されている共通コンテンツファイルおよび／またはローカルコンテンツファイルを、受信した更新後の共通コンテンツファイルおよび／またはローカルコンテンツファイルで更新する（Ｓ４２）。
【００３７】
図１１は、携帯端末３００によるネットワークへのアクセスを制御する処理の一例を示す。
携帯端末３００は、最初は未許可端末であり、３Ｇ／４Ｇルータ１６０を経由してネットワーク４００にアクセスすることは禁止されている。未許可の携帯端末３００がブラウザを起動してコンテンツサーバ１１０にＨＴＴＰによりアクセスすると、ネットワークアクセス制御部１１２は、エントリページを表示させるためのエントリページファイルを携帯端末３００に送信し、携帯端末３００のブラウザをエントリページにリダイレクトさせる。
ただし、携帯端末３００がＨＴＴＰＳによりアクセスする場合、ネットワークアクセス制御部１１２はエントリページにリダイレクトさせることができない。この場合、ネットワークアクセス制御部１１２は携帯端末３００を無条件で３Ｇ／４Ｇルータ１６０を介してネットワーク４００にアクセスさせる。
携帯端末３００のブラウザにエントリページが表示され、利用者がエントリページ内の「接続」ボタンをクリックすると、携帯端末３００は、許可端末へと移行し、携帯端末３００の使用者がエントリページを確認したことを示す応答をコンテンツサーバ１１０に返信する。
コンテンツサーバ１１０が応答を受信すると、ネットワークアクセス制御部１１２は、携帯端末３００を許可端末とみなす。これ以降、ネットワークアクセス制御部１１２は、３Ｇ／４Ｇルータ１６０を経由するネットワーク４００への携帯端末３００からのＨＴＴＰによるアクセスをリダイレクトしない。携帯端末３００は、３Ｇ／４Ｇルータ１６０を用いてそのままインターネットを含むネットワーク４００へアクセスすることが可能になる。また、許可端末からのＨＴＴＰ以外のネットワーク４００へのアクセスも通過許可される。
許可端末に移行した後、管理サーバ２２０に表示されるコンテンツサーバ管理画面において設定された「インターネットアクセス許可端末有効時間（秒）」を経過すると、その携帯端末３００はリダイレクトタイムアウトとなり未許可端末に戻る。
なお、未許可の携帯端末３００のブラウザにエントリページを表示するとき、利用者にＩＤ（Ｉｄｅｎｔｉｆｉｅｒ）とパスワードを入力させて認証を行い、許可された場合のみ、携帯端末３００のブラウザを接続中のＳＳＩＤに対応するトップページにジャンプさせることとしてもよい。
また、エントリページファイルは本発明の所定のエントリページを表示するためのファイルの一例である。
【００３８】
図１２は、携帯端末３００によるコンテンツ利用処理の流れの一例を示す。
ネットワークアクセス制御部１１２によって携帯端末３００によるネットワーク４００へのアクセスが許可されると、コンテンツファイル提供部１１３は、接続中のＳＳＩＤに対応するトップページを表示させるためのトップページファイルと、マニフェストファイルと、マニフェストファイルにキャッシュすると記述されている各コンテンツファイルおよび走行予定テーブル３０１を含むファイルとを携帯端末３００に送信する。
携帯端末３００のブラウザ３１０は、トップページファイルとマニフェストファイルと各コンテンツファイルと走行予定テーブル３０１を含むファイルとを受信すると、それらを記憶装置にキャッシュする（Ｓ５１）。
なお、トップページファイルはコンテンツファイルの一種である。ＳＳＩＤ毎のトップページのパスは、管理者が管理サーバ２２０に表示されるコンテンツサーバ管理画面において、「ＳＳＩＤ毎のトップページアドレス」として設定する。
トップページは、ジャンプ先のコンテンツファイルの位置を示すＨＴＭＬの参照先（リンク）を含む。トップページにおいて、そのページからコンテンツサーバ１１０に格納されている別のコンテンツファイルにジャンプさせる場合、リンクは相対パスで記述され、ネットワーク４００上のコンテンツファイルにジャンプさせる場合、リンクは絶対パスで記述される。
【００３９】
携帯端末３００の使用者がブラウザ３１０に表示されているページ（トップページ以外のページでもよい）のリンクを選択すると、ブラウザ３１０はそのリンクに応じて携帯端末３００にキャッシュされているコンテンツファイルを記憶装置から読み出して、若しくはコンテンツサーバ１１０またはネットワーク４００に接続されたサーバからコンテンツファイルをダウンロードして、リンクに応じたコンテンツファイルを利用する（Ｓ５２）。
リンク先が携帯端末３００の記憶装置にキャッシュされているコンテンツファイルである場合には、移動車両用コンテンツ提供システム１００Ａとの接続がオフラインであっても、すなわち、携帯端末３００がバス５００の車外に持ち出されている等の理由により、携帯端末３００とバス５００に搭載された移動車両用コンテンツ提供システム１００Ａとが通信することができなくても、ブラウザ３１０はそのコンテンツファイルを利用することができる。
携帯端末３００の使用者が選択したリンクのリンク先が携帯端末３００の記憶装置にキャッシュされていないコンテンツファイルである場合には、移動車両用コンテンツ提供システム１００Ａとの接続がオンラインであるとき、すなわち、携帯端末３００とバス５００に搭載された移動車両用コンテンツ提供システム１００Ａとがつながっているとき、携帯端末３００は選択されたリンクをコンテンツサーバ１１０に送信する。コンテンツファイル提供部１１３は、受信したリンクに応じてコンテンツサーバ１１０の記憶装置に格納された共通コンテンツファイルまたはローカルコンテンツファイルを携帯端末３００に送信し、若しくは３Ｇ／４Ｇルータ１６０を介して取得したネットワーク４００上のコンテンツファイルを携帯端末３００に送信する。
【００４０】
ブラウザ３１０の変更部３１２は、位置取得部３２０と時刻取得部３３０からそれぞれ現在の位置と時刻を取得し、現在の位置と時刻、および走行予定テーブル３０１に含まれる各地点の位置３０５と到着時刻３０３と発車時刻３０４とに基づいて、現在の位置と時刻用のトップページまたはトップページからたどれるコンテンツをブラウザ３１０が表示しているか否かを判定する（Ｓ５３）。現在の位置と時刻用のトップページまたはトップページからたどれるコンテンツをブラウザ３１０が表示していない場合（Ｓ５３：Ｎｏ）、変更部３１２は、トップページおよび／またはトップページからたどれる所定のコンテンツを、現在の位置と時刻用のトップページおよび／またはコンテンツに変更する（Ｓ５４）。
トップページファイルおよび各コンテンツファイルがキャッシュされてから所定の制限時間が経過していない場合（Ｓ５５：Ｎｏ）、ブラウザ３１０はステップＳ５２に戻る。
一方、所定の制限時間が経過する（Ｓ５５：Ｙｅｓ）と、利用制限部３１１は、ブラウザ３１０がトップページファイルおよび各コンテンツファイルを利用できなくする（Ｓ５６）。
なお、図１１に示したように、許可端末に移行した後、インターネットアクセス許可端末有効時間を経過すると、その携帯端末３００はリダイレクトタイムアウトとなり未許可端末に戻るが、この場合でも所定の制限時間が経過するまで、ブラウザ３１０はトップページファイルおよび各コンテンツファイルを利用することができる。
【００４１】
図１３は、移動車両用コンテンツ提供システム１００Ａの変形例１００Ｂの構成を示す。
移動車両用コンテンツ提供システム１００Ｂは、３Ｇ／４Ｇルータ１６０と、図示しない３Ｇ／４Ｇモデムと、アクセスポイント１７０とが複数である点が移動車両用コンテンツ提供システム１００Ａと異なる。
移動車両用コンテンツ提供システム１００Ｂでは、コンテンツサーバ１１０に複数の３Ｇ／４Ｇルータ１６０と３Ｇ／４Ｇモデムが取り付けられる。これにより、移動通信網の基地局４１０との間の通信速度の上限を増加させることができる。また、このとき、各３Ｇ／４Ｇルータ１６０のキャリア（移動体通信サービスを提供している会社）をそれぞれ別会社にすることもできる。これにより、例えば、あるキャリアの移動通信網が輻輳しているときでも別のキャリアの移動通信網によりネットワーク４００への接続を確保することができ、ネットワーク４００への接続性を向上させることができる。
また、コンテンツサーバ１１０に複数のアクセスポイント１７０を取り付けることにより、個々のアクセスポイント１７０に接続される携帯端末３００の数を減少させることができる。
【００４２】
以上説明したように、本発明によれば、電車やバス等の移動車両の多数の乗客が携帯端末を用いてネットワーク上のコンテンツを取得する場合に移動通信網の基地局への同時接続数と通信量を減少させることができる。
すなわち、移動車両用コンテンツ提供システムの３Ｇ／４Ｇルータを介して乗客の携帯端末が移動通信網の基地局に接続されるため、乗客の携帯端末が個々に接続する場合に比べて移動通信網の基地局との同時接続数が減少する。
また、未許可の携帯端末が移動車両用コンテンツ提供システムを介してネットワークにアクセスするとき、コンテンツサーバは、携帯端末のブラウザをエントリページにリダイレクトさせ、携帯端末から使用者がエントリページを確認したことを示す応答を受信すると、携帯端末を許可端末とみなし、その携帯端末がネットワークにアクセスすることを許可する。それとともに、コンテンツサーバは、トップページを表示するためのトップページファイルを携帯端末に送信し、トップページファイルに記述されたリンクに応じてコンテンツサーバ内のコンテンツファイル、またはネットワーク上のコンテンツファイルを携帯端末に提供する。そして、コンテンツサーバ内のコンテンツファイルを提供した場合、コンテンツサーバは、更に、そのコンテンツファイルに記述されたリンクに応じてコンテンツサーバ内、またはネットワーク上のコンテンツファイルを携帯端末に提供する。このため、乗客がコンテンツサーバ内のコンテンツファイルに記録されたコンテンツを利用している限り、ネットワークへのアクセスは生じず、移動通信網の基地局との通信量が減少する。
【００４３】
更に、コンテンツサーバは、トップページファイルを携帯端末に送信するときに、同時に移動車両の経路上で利用される各種のコンテンツファイルを携帯端末に送信し、携帯端末のブラウザは受信したトップページファイルと各コンテンツファイルをキャッシュする。携帯端末のブラウザは、携帯端末と移動車両用コンテンツ提供システムとの接続がオフラインであっても、キャッシュされたコンテンツファイルを携帯端末単体で利用（テキストや画像の表示、音声の出力等）することができる。このため、乗客が移動車両から離れた場合であっても、乗客は携帯端末のブラウザによってキャッシュされたコンテンツファイルを利用することができ、乗客にとって利便性が向上する。
そして、携帯端末のブラウザに付加される変更部は、トップページおよび／またはトップページからたどれる所定のコンテンツを、現在の地点用のトップページおよび／またはコンテンツに変更する。これにより、乗客は現在の位置に応じてコンテンツファイルを利用することができ、キャッシュされている多数のコンテンツファイルの中から現在の時刻や場所で知りたい情報を含むコンテンツファイルを探す乗客の負担が減少する。
【００４４】
また、コンテンツ配信サーバの更新時送信部は、その記憶装置に格納されている共通コンテンファイルおよび／またはローカルコンテンツファイルが更新されると、コンテンツサーバのコンテンツファイル格納部と協働でコンテンツサーバ内の共通コンテンファイルおよび／またはローカルコンテンツファイルを更新する。このため、コンテンツサーバ内の共通コンテンファイルとローカルコンテンツファイルを最新の状態に保つことができる。
【００４５】
また、コンテンツサーバに複数の３Ｇ／４Ｇルータと３Ｇ／４Ｇモデムを取り付けることにより、移動通信網の基地局との間の通信速度の上限を増加させることができる。更に、各３Ｇ／４Ｇルータのキャリアをそれぞれ別会社にすることにより、ネットワークへの接続性を向上させることができる。
【００４６】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００４７】
１…コンテンツ配信システム、１００Ａ、１００Ｂ…移動車両用コンテンツ提供システム、１１０…コンテンツサーバ、１１１…コンテンツファイル格納部、１１２…ネットワークアクセス制御部、１１３…コンテンツファイル提供部、１６０…３Ｇ／４Ｇルータ、１７０…アクセスポイント、２００…センター、２１０…コンテンツ配信サーバ、２１１…起動時送信部、２１２…更新時送信部、２２０…管理サーバ、３００…携帯端末、３０１…走行予定テーブル、３１０…ブラウザ、３１１…利用制限部、３１２…変更部、３２０…位置取得部、３３０…時刻取得部、４００…ネットワーク、４１０…基地局、５００…バス
【図１】
2016039585.tif 000003
【図２】
2016039585.tif 000004
【図３】
2016039585.tif 000005
【図４】
2016039585.tif 000006
【図５】
2016039585.tif 000007
【図６】
2016039585.tif 000008
【図７】
2016039585.tif 000009
【図８】
2016039585.tif 000010
【図９】
2016039585.tif 000011
【図１０】
2016039585.tif 000012
【図１１】
2016039585.tif 000013
【図１２】
2016039585.tif 000014
【図１３】
2016039585.tif 000015